(57)【要約】【課題】血液中に混入した気泡の分離が容易であるドリップチャンバを提供すること。【解決手段】上部接続部２、下部接続部３、中間接続部５、第一接続管７及び第二接続管８を有する。血液流入管１０は、第３側部Ｓ３側から第４側部Ｓ４側、かつ下部Ｄ側から上部Ｕ側に向けて、血液流入口１０Ｉから開口部１０Ｏ方向へ上るように傾斜して、前記中間接続部５に装着している。第３側部Ｓ３−第４側部Ｓ４方向の水平線ＳＬと、血液流入管１０の長手Ｌ方向に沿う中心線ＣＬとが鋭角で交わる角度を血液流入角度θと定めると、血液流入角度θは、５°〜４５°に形成した。【選択図】図１
2015085181.tif 000002
【特許請求の範囲】
【請求項１】
上部接続部（２）、下部接続部（３）、中間接続部（５）、第一接続管（７）及び第二接続管（８）を有し、
上部接続部（２）は、下部（Ｄ）側に、第一接続管（７）を介して、中間接続部（５）の上部（Ｕ）を接続し、
中間接続部（５）は、上部（Ｕ）側に第一接続管（７）を介して、上部接続部（２）の下部（Ｄ）側を接続し、さらに下部（Ｄ）側に第二接続管（８）を介して、下部接続部（３）の上部（Ｕ）側を接続し、
下部接続部（３）は、上部（Ｕ）側に、第二接続管（８）を介して、中間接続部（５）の下部（Ｄ）側を接続し、
血液流入管（１０）は、血液流入口（１０Ｉ）と、開口部（１０Ｏ）とを有し、
血液流入管（１０）は、一方向の側部（Ｓ）から他方向の側部（Ｓ）側、かつ下部（Ｄ）側から上部（Ｕ）側に向けて、血液流入口（１０Ｉ）から開口部（１０Ｏ）方向へ上るように傾斜して、前記中間接続部（５）に装着し、
一方向の側部（Ｓ）−他方向の側部（Ｓ）方向の水平線（ＳＬ）と、血液流入管（１０）の長手（Ｌ）方向に沿う中心線（ＣＬ）とが鋭角で交わる角度を血液流入角度（θ）と定めると、
血液流入角度（θ）は、５°〜４５°に形成した、ことを特徴とするドリップチャンバ（１）。
【請求項２】
上部接続部（２）、下部接続部（３）、中間接続部（５）及び接続管（７´）を有し、
上部接続部（２）は、下部Ｄ側に、接続管（７´）を介して、中間接続部（５）の上部Ｕ側を接続し、
中間接続部（５´）は上部（Ｕ）側に接続管（７´）を介して、上部接続部（２）の下部Ｄ側を接続し、さらに下部（Ｄ）側に、下部接続部（３）の上部（Ｕ）側を接続し、
中間接続部（５´）の下部（Ｄ）側を直接、下部接続部（３）の上部（Ｕ）側に接続し、
血液流入管（１０）は、血液流入口（１０Ｉ）と、開口部（１０Ｏ）とを有し、
血液流入管（１０）は、一方向の側部（Ｓ）から他方向の側部（Ｓ）側、かつ下部（Ｄ）側から上部（Ｕ）側に向けて、血液流入口（１０Ｉ）から開口部（１０Ｏ）方向へ上るように傾斜して、前記中間接続部（５´）に装着し、
一方向の側部（Ｓ）−他方向の側部（Ｓ）方向の水平線（ＳＬ）と、血液流入管（１０）の長手（Ｌ）方向に沿う中心線（ＣＬ）とが鋭角で交わる角度を血液流入角度（θ）と定めると、
血液流入角度（θ）は、５°〜４５°に形成した、ことを特徴とするドリップチャンバ（１´）。
【請求項３】
請求項１または請求項２に記載のドリップチャンバ（１、１´）において、
前記中間接続部（５、５´）に代えて、当該中間接続部（５、５´）の内壁に、上部Ｕ方向に向けて傾斜するテーパ部（５ＴＰ）を形成した中間接続部（５´´）を配置し、
テーパ部（５ＴＰ）の角度は、上部（Ｕ）‐下部（Ｄ）方向の垂直線（ＶＬ）とテーパ部（５ＴＰ）とが鋭角で交わる角度（θ２）と定めると、
角度（θ２）は、５°〜４５°に形成した、ことを特徴とするドリップチャンバ（１´´）。
【請求項４】
血液流入点（ＢＩＰ）を、血液が中間接続部（５）からドリップチャンバ（１）内部に流入する位置と定め、
最上点（ＨＰ）を、ドリップチャンバ（１）の最上位置で、上部接続部（２）の最上位置と定め、
最下点（ＬＰ）を、ドリップチャンバ（１）の最下位置で、下部接続部（３）の最下位置と定め、
チャンバ全体の長さ（Ｌ）を、最上点（ＨＰ）から最下点（ＬＰ）までの長さと定め、
最上点（ＨＰ）から血液流入点（ＢＩＰ）までの長さを（Ｌ１）と定め、
血液流入点（ＢＩＰ）から最下点（ＬＰ）までの長さを（Ｌ２）と定めて、
前記（Ｌ１）は、２０ｍｍ〜１２０ｍｍに形成し、
前記（Ｌ２）は、３０ｍｍ〜１５０ｍｍに形成した、ことを特徴とする請求項１から請求項３のいずれか１項に記載のドリップチャンバ（１、１´、１´´）。
【請求項５】
少なくとも上部接続部（２）、下部接続部（３）及び中間接続部（１０５、２０５、３０５、４０５、５０５）を有し、
前記中間接続部（１０５、２０５、３０５、４０５、５０５）に、
血液流入管（１１０、２１０、３１０、４１０、５１０）と透析液流入管（２０、２２０、３２０、４２０、５２０）を装着し、
前記血液流入管（１１０、２１０、３１０、４１０、５１０）は、血液流入口（１１０Ｉ、２１０Ｉ、３１０Ｉ、４１０Ｉ、５１０Ｉ）と、開口部（１１０Ｏ、２１０Ｏ、３１０Ｏ、４１０Ｏ、５１０Ｏ）とを有し、
前記透析液流入管（２０、２２０、３２０、４２０、５２０）は、透析液流入口（２０Ｉ、２２０Ｉ、３２０Ｉ、４１０Ｉ、５１０Ｉ）と、開口部（２０Ｏ、２２０Ｏ、３２０Ｏ、４１０Ｏ、５１０Ｏ）とを有し、
前記血液流入管（１１０、２１０、３１０、４１０、５１０）の開口部（１１０Ｏ、２１０Ｏ、３１０Ｏ、４１０Ｏ、５１０Ｏ）を、前記透析液流入管（２０、２２０、３２０、４２０、５２０）の開口部（２０Ｏ、２２０Ｏ、３２０Ｏ、４２０Ｏ、５２０Ｏ）よりも上部（Ｕ）側に配置し、
前記血液流入管（１１０、２１０、３１０、４１０、５１０）は、一方向の側部（Ｓ）から他方向の側部（Ｓ）側、かつ下部（Ｄ）側から上部（Ｕ）側に向けて、血液流入口（１１０Ｉ、２１０Ｉ、３１０Ｉ、４１０Ｉ、５１０Ｉ）から開口部（１１０Ｏ、２１０Ｏ、３１０Ｏ、４１０Ｏ、５１０Ｏ）方向へ上るように傾斜して、前記中間接続部（１０５、２０５、３０５、４０５、５０５）に装着し、
一方向の側部（Ｓ）−他方向の側部（Ｓ）方向の水平線（ＳＬ）と、血液流入管（１１０、２１０、３１０、４１０、５１０）の長手（Ｌ）方向に沿う中心線（ＣＬ）とが鋭角で交わる角度を血液流入角度（θ）と定めると、血液流入角度（θ）は、５°〜４５°に形成し、
前記透析液流入管（２０、２２０、３２０、４２０、５２０）は、一方向の側部（Ｓ）から他方向の側部（Ｓ）側、かつ下部（Ｄ）側から上部（Ｕ）側に向けて、透析液流入口（２０Ｉ、２２０Ｉ、３２０Ｉ、４１０Ｉ、５１０Ｉ）から開口部（２０Ｏ、２２０Ｏ、３２０Ｏ、４１０Ｏ、５１０Ｏ）方向へ上るように傾斜して、前記中間接続部（１０５、２０５、３０５、４０５、５０５）に装着し、
一方向の側部（Ｓ）−他方向の側部（Ｓ）方向の水平線（ＳＬ）と、透析液流入管（２０、２２０、３２０、４２０、５２０）の長手（Ｌ）方向に沿う中心線（ＣＬ）とが鋭角で交わる角度を透析液流入角度（θ３）と定めると、透析液流入角度（θ３）は、５°〜４５°に形成した、ことを特徴とするドリップチャンバ（１０１、２０１、３０１、４０１、５０１）。
【請求項６】
中間接続部（１０５、２０５、３０５）は、一方向の側部（Ｓ）から他方向の側部（Ｓ）側に沿うように、血液流入管（１１０、２１０、３１０）と透析液流入管（２０、２２０、３２０）を配置し、
血液流入管（１１０、２１０、３１０）は、血液流入口（１１０Ｉ、２１０Ｉ、３１０Ｉ）は、一方向の側部（Ｓ）側に配置し、開口部（１１０Ｏ、２１０Ｏ、３１０Ｏ）は、一方向の側部（Ｓ）側と他方向の側部（Ｓ）側との間で、一方向の側部（Ｓ）に近い位置に配置し、
透析液流入管（２０、２２０、３２０）は、透析液流入口（２０Ｉ、２２０Ｉ、３２０Ｉ）は、一方向の側部（Ｓ）側に配置し、
開口部（２０Ｏ、２２０Ｏ、３２０Ｏ）は一方向の側部（Ｓ）側と他方の側部（Ｓ）側との間で、一方向の側部（Ｓ）に近い位置に配置し、
血液と透析液は、一方向の側部（Ｓ）側から、実質的に同じ側部（Ｓ）側から、旋回流で流入し、または
血液は一方向の側部（Ｓ）側から、透析液は他方向の側部（Ｓ）側から、お互いに異なる側部（Ｓ）側から、同じ方向の旋回流で流入し、または
血液は一方向の側部（Ｓ）側から、透析液は他方向の側部（Ｓ）側から、お互いに異なる側部（Ｓ）側から対向して旋回流で流入する、ことを特徴とする請求項５に記載のドリップチャンバ（１０１、２０１、３０１）。
【請求項７】
中間接続部（４０５、５０５）は、一方向の側部（Ｓ）から他方向の側部（Ｓ）側に沿うように、血液流入管（４１０、５１０）と透析液流入管（４２０、５２０）を配置し、
血液流入管（４１０、５１０）は、血液流入口（４１０Ｉ、５１０Ｉ）は、一方向の側部（Ｓ）側に配置し、開口部（４１０Ｏ、５１０Ｏ）は、一方向の側部（Ｓ）に配置し、
透析液流入管（４２０、５２０）は、透析液流入口（４２０Ｉ、５２０Ｉ）は、一方向の側部（Ｓ）側に配置し、
開口部（４２０Ｏ、５２０Ｏ）は一方向の側部（Ｓ）側と他方向の側部（Ｓ）に近い位置に配置し、
血液は一方向の側部（Ｓ）側から他方向の側部（Ｓ）側 に沿うように直流で流入し、
透析液は他方向の側部（Ｓ）側から他方向の側部（Ｓ）側に沿うように、前記血液と同じ側部（Ｓ）側から旋回流で流入し、または
血液は一方向の側部（Ｓ）側から他方向の側部（Ｓ）側に沿うように直流で流入し、
透析液は一方向の側部（Ｓ）側から他方向の側部（Ｓ）側に沿うように、前記血液と異なる側部（Ｓ）側から旋回流で流入する、ことを特徴とするドリップチャンバ（４０１、５０１）。
【請求項８】
血液流入管（１１０、２１０、３１０、４１０、５１０）と透析液流入管（２０、２２０、３２０、４２０、５２０）を装着した中間接続部（１０５、２０５、３０５、４０５、５０５）の代わりに、二個の中間接続部（１０５、２０５、３０５、４０５、５０５）を配置し、上部（Ｕ）側の中間接続部（１０５、２０５、３０５、４０５、５０５）に、血液流入管（１１０、２１０、３１０、４１０、５１０）を装着し、下部（Ｄ）側の中間接続部（１０５、２０５、３０５、４０５、５０５）に、透析液流入管（２０、２２０、３２０、４２０、５２０）を装着した、ことを特徴とする請求項５から請求項７のいずれか１項に記載のドリップチャンバ（１０１、２０１、３０１、４０１、５０１）。
【請求項９】
血液流入点（ＢＩＰ）を、血液が中間接続部（１０５、２０５、３０５、４０５、５０５）からドリップチャンバ（１０１、２０１、３０１、４０１、５０１）内部に流入する位置と定め、
最上点（ＨＰ）を、ドリップチャンバ（１０１、２０１、３０１、４０１、５０１）の最上位置で、上部接続部（２）の最上位置と定め、
最下点（ＬＰ）を、ドリップチャンバ（１０１、２０１、３０１、４０１、５０１）の最下位置で、下部接続部（３）の最下位置と定め、
チャンバー全体の長さ（Ｌ）を、最上点（ＨＰ）から最下点（ＬＰ）までの長さと定め、
最上点（ＨＰ）から血液流入点（ＢＩＰ）までの長さを（Ｌ１）と定め、
血液流入点（ＢＩＰ）から最下点（ＬＰ）までの長さを（Ｌ２）と定め、
最上点（ＨＰ）から透析液流入点（ＤＩＰ）までの長さを（Ｌ３）と定め、
透析液流入点（ＤＩＰ）から最下点（ＬＰ）までの長さを（Ｌ４）と定め、
（Ｌ２）は、血液流入点（ＢＩＰ）の高さ（ＨＢＩ）と定め、
（Ｌ４）は、透析液流入点（ＤＩＰ）の高さ（ＨＤＩ）と定め、
（ＢＩＰ）と（ＤＩＰ）との間の距離を（ＤＳＢＤ）と定めると、
（ＤＳＢＤ）は、（Ｌ）−（Ｌ１＋Ｌ４）となり、
（ＤＳＢＤ）は、１０ｍｍから６０ｍｍに形成した、ことを特徴とする請求項５から請求項８のいずれか１項に記載の（１０１、２０１、３０１、４０１、５０１）。
【発明の詳細な説明】
【技術分野】
【０００１】
本発明は、ドリップチャンバの改良に関するもので、特に気泡抜き性能を改善したドリップチャンバに関する。
本発明のドリップチャンバは、血液透析（ＨＤ）、血液透析濾過［血液透析（ＨＤ）と血液濾過（ＨＦ）の組み合わせのＨＤＦ（オンラインＨＤＦ、オフラインＨＤＦ）］、血液浄化の際に使用される血液回路（体外循環回路ともいう）の途中に配置される。
【背景技術】
【０００２】
出願人は、特許文献１に、以下のドリップチャンバ〈１〉の発明（考案）を開示した。（特許文献に記載の発明の各部材をわかりやすく説明するために、符号を記載した。特許文献の符号は、本願発明の符号と区別するために、〈  〉をつけた。）
ドリップチャンバ〈１〉は、中央部材〈６〉に上部筒体〈２〉と下部筒体３を装着している。
中央部材〈６〉は、側部に血液流入口〈７〉を形成している。当該血液流入口〈７〉よりも上部の内壁には、孔〈９〉を形成した仕切〈８〉を配置している。孔〈９〉は、仕切〈８〉の略中央に形成し、仕切〈８〉の下部は、仕切〈８〉外縁から孔〈９〉に向けて上方向へ傾斜する上傾斜面８Ｕを形成している。
【０００３】
ドリップチャンバ〈１〉では、血液流入口〈７〉 からドリップチャンバ〈１〉 内に導入された血液は、仕切〈８〉より上部方向に上昇しにくいため、最上層に生理食塩水の層を形成できる。このためドリップチャンバ〈１〉 内の血液（ 血球、血小板） は、空気に直接触れる機会が皆無であり、攪拌も充分にされる。このため血液の滞留がなくなり、滞留による血液の凝固、残血がなくなる。
また血液と１緒にドリップチャンバ〈１〉 内に導入された仕切〈８〉より下部の気泡は、上傾斜面〈８Ｕ〉に沿って、上部側へ上昇し、上部筒体〈２〉へ排出するようにしている。
【０００４】
特許文献２には、血液中の空気を除去するエアートラップチャンバ〈３３〉の発明を開示している。
エアートラップチャンバ〈３３〉は、円筒形のストレート部〈７１〉と、当該ストレート部〈７１〉よりも直径が大きい円筒状の上端部〈７２〉と、前記ストレート部〈７１〉と前記上端部〈７２〉とを接続するテーパ部〈７３〉とを含む本体〈７０〉と、当該本体〈７０〉の前記テーパ部〈７３〉の側面に前記テーパ部〈７３〉の円周の接線方向に延びるように設けられる血液流入用ポート〈３３ｂ〉と、を備える。
【０００５】
エアートラップチャンバ〈３３〉は、血液入口〈３３ｂ〉から流入した血液が血液入口〈３３ｂ〉、開口〈３３ｆ〉とそれよりも上方にある血液面〈９０〉との間で旋回流となって流れることから、血液入口〈３３ｂ〉、開口〈３３ｆ〉と血液面〈９０〉との間で血液が滞留せず、血栓の発生を効果的に抑制することができる。
【先行技術文献】
【特許文献】
【０００６】
【特許文献１】実用新案登録第３１２８７２４号公報
【特許文献２】特開２０１２−９５８４１号公報
【発明の概要】
【発明が解決しようとする課題】
【０００７】
特許文献１に記載の発明は、血液は血液流入角度θ（後述の定義参照）が「０°」の角度で血液流入口〈７〉より、ドリップチャンバ〈１〉内に導入される。また仕切〈８〉の上傾斜面〈８Ｕ〉は、血液流入口〈７〉の上部近傍に存在する。
血液とともに導入された気泡は、仕切〈８〉により、上部方向の移動を阻止され、
気泡抜き性能を重視するドリップチャンバでは、十分な気泡抜き性能は期待できない。
【０００８】
特許文献２に記載の発明は、ストレート部〈７１〉よりも直径が大きい円筒状の上端部〈７２〉と、ストレート部〈７１〉と上端部〈７２〉とを接続するテーパ部〈７３〉とを有するため、換言すれば、上端部〈７２〉の径を大きく形成しているので、血液の液面が高く出来ず、血液流入口〈３３ｂ〉と液面が近づき液面が安定しないという課題があった。
そこで、本発明者は以上の課題を解決するために鋭意検討を重ねた結果、次の発明に到達した。
【課題を解決するための手段】
【０００９】
[１]本発明は、上部接続部（２）、下部接続部（３）、中間接続部（５）、第一接続管（７）及び第二接続管（８）を有し、
上部接続部（２）は、下部（Ｄ）側に、第一接続管（７）を介して、中間接続部（５）の上部（Ｕ）を接続し、
中間接続部（５）は、上部（Ｕ）側に第一接続管（７）を介して、上部接続部（２）の下部（Ｄ）側を接続し、さらに下部（Ｄ）側に第二接続管（８）を介して、下部接続部（３）の上部（Ｕ）側を接続し、
下部接続部（３）は、上部（Ｕ）側に、第二接続管（８）を介して、中間接続部（５）の下部（Ｄ）側を接続し、
血液流入管（１０）は、血液流入口（１０Ｉ）と、開口部（１０Ｏ）とを有し、
血液流入管（１０）は、一方向の側部（Ｓ）から他方向の側部（Ｓ）側、かつ下部（Ｄ）側から上部（Ｕ）側に向けて、血液流入口（１０Ｉ）から開口部（１０Ｏ）方向へ上るように傾斜して、前記中間接続部（５）に装着し、
一方向の側部（Ｓ）−他方向の側部（Ｓ）方向の水平線（ＳＬ）と、血液流入管（１０）の長手（Ｌ）方向に沿う中心線（ＣＬ）とが鋭角で交わる角度を血液流入角度（θ）と定めると、
血液流入角度（θ）は、５°〜４５°に形成したドリップチャンバ（１）を提供する。
［２］本発明は、上部接続部（２）、下部接続部（３）、中間接続部（５）及び接続管（７´）を有し、
上部接続部（２）は、下部Ｄ側に、接続管（７´）を介して、中間接続部（５）の上部Ｕ側を接続し、
中間接続部（５´）は上部（Ｕ）側に接続管（７´）を介して、上部接続部（２）の下部Ｄ側を接続し、さらに下部（Ｄ）側に、下部接続部（３）の上部（Ｕ）側を接続し、
中間接続部（５´）の下部（Ｄ）側を直接、下部接続部（３）の上部（Ｕ）側に接続し、
血液流入管（１０）は、血液流入口（１０Ｉ）と、開口部（１０Ｏ）とを有し、
血液流入管（１０）は、一方向の側部（Ｓ）から他方向の側部（Ｓ）側、かつ下部（Ｄ）側から上部（Ｕ）側に向けて、血液流入口（１０Ｉ）から開口部（１０Ｏ）方向へ上るように傾斜して、前記中間接続部（５´）に装着し、
一方向の側部（Ｓ）−他方向の側部（Ｓ）方向の水平線（ＳＬ）と、血液流入管（１０）の長手（Ｌ）方向に沿う中心線（ＣＬ）とが鋭角で交わる角度を血液流入角度（θ）と定めると、
血液流入角度（θ）は、５°〜４５°に形成したドリップチャンバ（１´）を提供する。
【００１０】
［３］本発明は、[１]または[２]に記載のドリップチャンバ（１、１´）において、
前記中間接続部（５、５´）に代えて、当該中間接続部（５、５´）の内壁に、上部Ｕ方向に向けて傾斜するテーパ部（５ＴＰ）を形成した中間接続部（５´´）を配置し、
テーパ部（５ＴＰ）の角度は、上部（Ｕ）‐下部（Ｄ）方向の垂直線（ＶＬ）とテーパ部（５ＴＰ）とが鋭角で交わる角度（θ２）と定めると、
角度（θ２）は、５°〜４５°に形成したドリップチャンバ（１´´）を提供する。
［４］本発明は、血液流入点（ＢＩＰ）を、血液が中間接続部（５）からドリップチャンバ（１）内部に流入する位置と定め、
最上点（ＨＰ）を、ドリップチャンバ（１）の最上位置で、上部接続部（２）の最上位置と定め、
最下点（ＬＰ）を、ドリップチャンバ（１）の最下位置で、下部接続部（３）の最下位置と定め、
チャンバ全体の長さ（Ｌ）を、最上点（ＨＰ）から最下点（ＬＰ）までの長さと定め、
最上点（ＨＰ）から血液流入点（ＢＩＰ）までの長さを（Ｌ１）と定め、
血液流入点（ＢＩＰ）から最下点（ＬＰ）までの長さを（Ｌ２）と定めて、
前記（Ｌ１）は、２０ｍｍ〜１２０ｍｍに形成し、
前記（Ｌ２）は、３０ｍｍ〜１５０ｍｍに形成した[１]から[３]のいずれか１つに記載のドリップチャンバ（１、１´、１´´）を提供する。
【００１１】
［５］本発明は、少なくとも上部接続部（２）、下部接続部（３）及び中間接続部（１０５、２０５、３０５、４０５、５０５）を有し、
前記中間接続部（１０５、２０５、３０５、４０５、５０５）に、
血液流入管（１１０、２１０、３１０、４１０、５１０）と透析液流入管（２０、２２０、３２０、４２０、５２０）を装着し、
前記血液流入管（１１０、２１０、３１０、４１０、５１０）は、血液流入口（１１０Ｉ、２１０Ｉ、３１０Ｉ、４１０Ｉ、５１０Ｉ）と、開口部（１１０Ｏ、２１０Ｏ、３１０Ｏ、４１０Ｏ、５１０Ｏ）とを有し、
前記透析液流入管（２０、２２０、３２０、４２０、５２０）は、透析液流入口（２０Ｉ、２２０Ｉ、３２０Ｉ、４１０Ｉ、５１０Ｉ）と、開口部（２０Ｏ、２２０Ｏ、３２０Ｏ、４１０Ｏ、５１０Ｏ）とを有し、
前記血液流入管（１１０、２１０、３１０、４１０、５１０）の開口部（１１０Ｏ、２１０Ｏ、３１０Ｏ、４１０Ｏ、５１０Ｏ）を、前記透析液流入管（２０、２２０、３２０、４２０、５２０）の開口部（２０Ｏ、２２０Ｏ、３２０Ｏ、４２０Ｏ、５２０Ｏ）よりも上部（Ｕ）側に配置し、
前記血液流入管（１１０、２１０、３１０、４１０、５１０）は、一方向の側部（Ｓ）から他方向の側部（Ｓ）側、かつ下部（Ｄ）側から上部（Ｕ）側に向けて、血液流入口（１１０Ｉ、２１０Ｉ、３１０Ｉ、４１０Ｉ、５１０Ｉ）から開口部（１１０Ｏ、２１０Ｏ、３１０Ｏ、４１０Ｏ、５１０Ｏ）方向へ上るように傾斜して、前記中間接続部（１０５、２０５、３０５、４０５、５０５）に装着し、
一方向の側部（Ｓ）−他方向の側部（Ｓ）方向の水平線（ＳＬ）と、血液流入管（１１０、２１０、３１０、４１０、５１０）の長手（Ｌ）方向に沿う中心線（ＣＬ）とが鋭角で交わる角度を血液流入角度（θ）と定めると、血液流入角度（θ）は、５°〜４５°に形成し、
前記透析液流入管（２０、２２０、３２０、４２０、５２０）は、一方向の側部（Ｓ）から他方向の側部（Ｓ）側、かつ下部（Ｄ）側から上部（Ｕ）側に向けて、透析液流入口（２０Ｉ、２２０Ｉ、３２０Ｉ、４１０Ｉ、５１０Ｉ）から開口部（２０Ｏ、２２０Ｏ、３２０Ｏ、４１０Ｏ、５１０Ｏ）方向へ上るように傾斜して、前記中間接続部（１０５、２０５、３０５、４０５、５０５）に装着し、
一方向の側部（Ｓ）−他方向の側部（Ｓ）方向の水平線（ＳＬ）と、透析液流入管（２０、２２０、３２０、４２０、５２０）の長手（Ｌ）方向に沿う中心線（ＣＬ）とが鋭角で交わる角度を透析液流入角度（θ３）と定めると、透析液流入角度（θ３）は、５°〜４５°に形成したドリップチャンバ（１０１、２０１、３０１、４０１、５０１）を提供する。
[６]本発明は、中間接続部（１０５、２０５、３０５）は、一方向の側部（Ｓ）から他方向の側部（Ｓ）側に沿うように、血液流入管（１１０、２１０、３１０）と透析液流入管（２０、２２０、３２０）を配置し、
血液流入管（１１０、２１０、３１０）は、血液流入口（１１０Ｉ、２１０Ｉ、３１０Ｉ）は、一方向の側部（Ｓ）側に配置し、開口部（１１０Ｏ、２１０Ｏ、３１０Ｏ）は、一方向の側部（Ｓ）側と他方向の側部（Ｓ）側との間で、一方向の側部（Ｓ）に近い位置に配置し、
透析液流入管（２０、２２０、３２０）は、透析液流入口（２０Ｉ、２２０Ｉ、３２０Ｉ）は、一方向の側部（Ｓ）側に配置し、
開口部（２０Ｏ、２２０Ｏ、３２０Ｏ）は一方向の側部（Ｓ）側と他方の側部（Ｓ）側との間で、一方向の側部（Ｓ）に近い位置に配置し、
血液と透析液は、一方向の側部（Ｓ）側から、実質的に同じ側部（Ｓ）側から、旋回流で流入し、または
血液は一方向の側部（Ｓ）側から、透析液は他方向の側部（Ｓ）側から、お互いに異なる側部（Ｓ）側から、同じ方向の旋回流で流入し、または
血液は一方向の側部（Ｓ）側から、透析液は他方向の側部（Ｓ）側から、お互いに異なる側部（Ｓ）側から対向して旋回流で流入する[５]に記載のドリップチャンバ（１０１、２０１、３０１）を提供する。
【００１２】
[７]本発明は、中間接続部（４０５、５０５）は、一方向の側部（Ｓ）から他方向の側部（Ｓ）側に沿うように、血液流入管（４１０、５１０）と透析液流入管（４２０、５２０）を配置し、
血液流入管（４１０、５１０）は、血液流入口（４１０Ｉ、５１０Ｉ）は、一方向の側部（Ｓ）側に配置し、開口部（４１０Ｏ、５１０Ｏ）は、一方向の側部（Ｓ）に配置し、
透析液流入管（４２０、５２０）は、透析液流入口（４２０Ｉ、５２０Ｉ）は、一方向の側部（Ｓ）側に配置し、
開口部（４２０Ｏ、５２０Ｏ）は一方向の側部（Ｓ）側と他方向の側部（Ｓ）に近い位置に配置し、
血液は一方向の側部（Ｓ）側から他方向の側部（Ｓ）側 に沿うように直流で流入し、
透析液は他方向の側部（Ｓ）側から他方向の側部（Ｓ）側に沿うように、前記血液と同じ側部（Ｓ）側から旋回流で流入し、または
血液は一方向の側部（Ｓ）側から他方向の側部（Ｓ）側に沿うように直流で流入し、
透析液は一方向の側部（Ｓ）側から他方向の側部（Ｓ）側に沿うように、前記血液と異なる側部（Ｓ）側から旋回流で流入するドリップチャンバ（４０１、５０１）を提供する。
【００１３】
[８]本発明は、血液流入管（１１０、２１０、３１０、４１０、５１０）と透析液流入管（２０、２２０、３２０、４２０、５２０）を装着した中間接続部（１０５、２０５、３０５、４０５、５０５）の代わりに、二個の中間接続部（１０５、２０５、３０５、４０５、５０５）を配置し、上部（Ｕ）側の中間接続部（１０５、２０５、３０５、４０５、５０５）に、血液流入管（１１０、２１０、３１０、４１０、５１０）を装着し、下部（Ｄ）側の中間接続部（１０５、２０５、３０５、４０５、５０５）に、透析液流入管（２０、２２０、３２０、４２０、５２０）を装着した［５］から［７］のいずれか１つに記載のドリップチャンバ（１０１、２０１、３０１、４０１、５０１）を提供する。
[９]本発明は、血液流入点（ＢＩＰ）を、血液が中間接続部（１０５、２０５、３０５、４０５、５０５）からドリップチャンバ（１０１、２０１、３０１、４０１、５０１）内部に流入する位置と定め、
最上点（ＨＰ）を、ドリップチャンバ（１０１、２０１、３０１、４０１、５０１）の最上位置で、上部接続部（２）の最上位置と定め、
最下点（ＬＰ）を、ドリップチャンバ（１０１、２０１、３０１、４０１、５０１）の最下位置で、下部接続部（３）の最下位置と定め、
チャンバー全体の長さ（Ｌ）を、最上点（ＨＰ）から最下点（ＬＰ）までの長さと定め、
最上点（ＨＰ）から血液流入点（ＢＩＰ）までの長さを（Ｌ１）と定め、
血液流入点（ＢＩＰ）から最下点（ＬＰ）までの長さを（Ｌ２）と定め、
最上点（ＨＰ）から透析液流入点（ＤＩＰ）までの長さを（Ｌ３）と定め、
透析液流入点（ＤＩＰ）から最下点（ＬＰ）までの長さを（Ｌ４）と定め、
（Ｌ２）は、血液流入点（ＢＩＰ）の高さ（ＨＢＩ）と定め、
（Ｌ４）は、透析液流入点（ＤＩＰ）の高さ（ＨＤＩ）と定め、
（ＢＩＰ）と（ＤＩＰ）との間の距離を（ＤＳＢＤ）と定めると、
（ＤＳＢＤ）は、（Ｌ）−（Ｌ１＋Ｌ４）となり、
（ＤＳＢＤ）は、１０ｍｍから６０ｍｍに形成した[５]から[８]のいずれか１つに記載の（１０１、２０１、３０１、４０１、５０１）を提供する。
【発明の効果】
【００１４】
本発明のドリップチャンバ１、１´（第１実施例、第２実施例、第３実施例）によれば、
〈１〉：血液流入管１０は、ドリップチャンバ１の一方向の側部から他方向の側部側［具体的には、第３側部Ｓ３側（血液流入口１０Ｉ側）から第４側部Ｓ４側（開口部１０Ｏ側）］、かつ下部Ｄ側から上部Ｕ側に向けて、血液流入角度θが５°〜４５°となるように配置しているので、血液中に混入した気泡の分離が容易になる。
〈２〉：引用文献１のように、ドリップチャンバ内部に仕切〈８〉を設けていないので、血液流入管１０により、血液流入角度θが５°〜４５°で血液とともに流入してきた気泡を上部Ｕ側に容易に移動させることができ、気泡抜きを容易に行うことができる。
〈３〉：中間接続部５´´の内壁に、角度θ２が５°〜４５°のテーパ部５ＴＰを形成することにより、血液流入管１０により、流入してきた血液を、確実に上部Ｕ側に移動させることができるので、気泡抜きをより効率的に行うことができる。
〈４〉：引用文献２のように、上部接続部２（上端部〈７２〉）の径を大きくしなくても、第一接続管７、接続管７´の長さを調整することにより、気泡抜き効率を向上させることができる。
【００１５】
本発明のドリップチャンバ１０１〜５０１（第４〜第８実施例）によれば、
血液流入管（１１０、２１０、３１０、４１０、５１０）に加えて、透析液流入管（２０、２２０、３２０、４２０、５２０）を前記のように配置し、血液流入管（１１０、２１０、３１０、４１０、５１０）と透析液流入管（２０、２２０、３２０、４２０、５２０）を、前記角度θと前記角度θ３（それぞれ５°〜４５°）となるように配置しているので、
最初に透析液流入管（２０、２２０、３２０、４２０、５２０）から、角度θ３（５°〜４５°）でドリップチャンバ（１０１〜５０１）内に導入された透析液は、ドリップチャンバ（１０１〜５０１）内で下部Ｄ側から上部Ｕ側へ旋回流を形成する。
血液は血液流入管（１１０、２１０、３１０、４１０、５１０）から透析液の旋回流内に下部Ｄ側から上部Ｕ側へ旋回流ないし直線流として流入し、透析液の旋回流により上部Ｕ側に押し上げられる。
このため血液と一緒に導入された気泡（Ａｂ）は、上部Ｕ側に集積しやすくなり、当該気泡（Ａｂ）は、ドリップチャンバ（１０１〜５０１）の上部Ｕ側の排液管２Ｗ、液面調整管２Ｒ等より速やかに排出することができる。
【図面の簡単な説明】
【００１６】
【図１】図１は、本発明（第１実施例）のドリップチャンバ１を第３側部Ｓ３方向から見た概略図である。
【図２】図２は、図１のドリップチャンバ１を第１側部Ｓ１方向から見た概略図である。
【図３】図３は、本発明（第１実施例）の中間接続部５の一部拡大図である。（Ａ）は、上部Ｕ方向から見た平面図。（Ｂ）は、上部Ｕ方向、かつ第２側部Ｓ２方向−第３側部Ｓ３向から見た斜視図。（Ｃ）は、第２側部Ｓ２向から見た側面図。（Ｄ）は、第３側部Ｓ３向から見た側面図。
【図４】図４は、ドリップチャンバ１の使用状態図である。ドリップチャンバ１（中間接続部５）内への血液Ｂｂと気泡Ａｂの流入及び移動状態を示している。
【図５】図５は、本発明（第２実施例）のドリップチャンバ１´を第３側部Ｓ３方向から見た概略図である。
【図６】図６は、図５のドリップチャンバ１´を第１側部Ｓ１方向から見た概略図である。
【図７】図７は、本発明（第１実施例）の中間接続部５の一部拡大図である。（Ａ）は、上部Ｕ方向から見た平面図。（Ｂ）は、上部Ｕ方向、かつ第２側部Ｓ２方向−第３側部Ｓ３向から見た斜視図。（Ｃ）は、第２側部Ｓ２向から見た側面図。（Ｄ）は、第３側部Ｓ３向から見た側面図。
【図８】図８は、本発明（第３実施例のドリップチャンバ１´´）の中間接続部５´´の一部拡大断面図である。（Ａ）は、縦断面図。（Ｂ）は、やや上部Ｕ方向、かつ第２側部Ｓ２方向−第３側部Ｓ３向から立体的に見た縦断面図。
【図９】図９は、ドリップチャンバ１´´の使用状態図である。ドリップチャンバ１´´（中間接続部５´´）内への血液Ｂｂと気泡Ａｂの流入及び移動状態を示している。
【図１０】図１０は、本発明（第４実施例）のドリップチャンバ１０１を第３側部Ｓ３方向から見た概略図。
【図１１】図１１は、図１０のドリップチャンバ１０１を第１側部Ｓ１方向から見た概略図。
【図１２】図１２は、ドリップチャンバ１０１の側部Ｓ方向の一部断面図で、血液Ｂｂと透析液ｄＬの流入方向を示す。
【図１３】図１０の中間接続部５の一部拡大図である。
【図１４】図１４は、本発明（第４実施例）の中間接続部１０５の一部拡大図である。（Ａ）は、上部Ｕ方向から見た平面図。（Ｂ）は、上部Ｕ方向、かつ第２側部Ｓ２−第３側部Ｓ３−上部Ｕ方向から見た斜視図。（Ｃ）は、第２側部Ｓ２向から見た側面図。（Ｄ）は、第３側部Ｓ３向から見た側面図。
【図１５】図１５は、ドリップチャンバ１０１（中間接続部１０５）の第３側部Ｓ方向の拡大断面図で、血液流入管１１０と透析液流入管２０の配置及び角度を誇張して示している。
【図１６】図１６は、ドリップチャンバ１０１の使用状態図である。ドリップチャンバ１０１（中間接続部１０５）内への血液Ｂｂ、透析液ｄＬ及び気泡Ａｂの流入及び移動状態を示している。
【図１７】図１７は、本発明（第５実施例）のドリップチャンバ２０１を第３側部Ｓ３方向から見た概略図。
【図１８】図１８は、図１７のドリップチャンバ２０１を第１側部Ｓ１方向から見た概略図。
【図１９】図１９は、ドリップチャンバ２０１の側部Ｓ方向の一部断面図で、血液Ｂｂと透析液ｄＬの流入方向を示す。
【図２０】図１７の中間接続部２０５の一部拡大図である。
【図２１】ドリップチャンバ２０１（中間接続部２０５）の第３側部Ｓ方向の一部拡大断面図で、血液流入管２１０と透析液流入管２２０の配置及び角度を誇張して示している。
【図２２】図２２は、ドリップチャンバ２０１の使用状態図である。ドリップチャンバ２０１（中間接続部２０５）内への血液Ｂｂ、透析液ｄＬ及び気泡Ａｂの流入及び移動状態を示している。
【図２３】図２３は、本発明（第６実施例）のドリップチャンバ３０１を第１側部Ｓ１方向から見た概略図。
【図２４】図２４は、ドリップチャンバ３０１の側部Ｓ方向の一部断面図で、血液と透析液の流入方向を示す。
【図２５】図２５は、ドリップチャンバ３０１（中間接続部３０５）の第３側部Ｓ方向の一部拡大断面図で、血液流入管３１０と透析液流入管３２０の配置及び角度を誇張して示している。
【図２６】図２６は、ドリップチャンバ３０１の使用状態図である。ドリップチャンバ３０１（中間接続部３０５）内への血液Ｂｂ、透析液ｄＬ及び気泡Ａｂの流入及び移動状態を示している。
【図２７】図２７は、本発明（第７実施例）のドリップチャンバ４０１の一部拡大図である。（Ａ）は、第１側部Ｓ１−第２側部Ｓ２−上部Ｕ方向から見た斜視図。（Ｂ）は、側部Ｓ方向の一部断面図。
【図２８】図２８は、本発明（第８実施例）のドリップチャンバ５０１の一部拡大図である。（Ａ）は、第１側部Ｓ１−第２側部Ｓ２−上部Ｕ方向から見た斜視図。（Ｂ）は、側部Ｓ方向の一部断面図。
【発明を実施するための形態】
【００１７】
以下、図面を参照しながら本発明（第１実施例、第２実施例、第３実施例、第４実施例、第５実施例、第６実施例、第７実施例、第８実施例）を説明する。
以下、本発明を明確に説明するため、次の定義をおく。
以下、符号の煩雑化を避けるため、例えば「ドリップチャンバ１、１´、１´´、１０１、２０１、３０１、４０１、５０１」等とあるのは、単に「ドリップチャンバ１」等と記載する。「ドリップチャンバ１」等と記載しても、「ドリップチャンバ１、１´、１´´、１０１、２０１、３０１、４０１、５０１」等に共通する部分は、「ドリップチャンバ１´、１´´、１０１、２０１、３０１、４０１、５０１」も含むことに留意されたい。
【００１８】
（定義１）本発明のドリップチャンバ１で、「上部Ｕ側（または方向という場合がある）」とは、図１、図２に示すように、上部接続部２側の端部を意味する。
「下部Ｄ側（または方向という場合がある）」とは、図１、図２に示すように、「上部Ｕ側（または方向という場合がある）」と反対側の端部を意味する。さらにいえば、
図１、図２に示すように、下部接続部３側の端部を意味する。
【００１９】
（定義２）本発明のドリップチャンバ１で、「第１側部Ｓ１側（または方向という場合がある）」とは、図３（Ａ）では、時計の１２時方向（図の破線矢印参照）を意味する。さらにいえば、図１では紙面の右側の方向、図２では紙面の正面側の方向を意味する。
「第２側部Ｓ２側（または方向という場合がある）」とは、図３（Ａ）では、時計の６時方向（図の破線矢印参照）を意味する。さらにいえば、図１では紙面の左側の方向、図２では紙面の背面側の方向を意味する。
【００２０】
「第３側部Ｓ３側（または方向という場合がある）」とは、図３（Ａ）では、時計の３時方向（図の破線矢印参照）を意味する。さらにいえば、図１では紙面の正面側の方向、図２では紙面の左側の方向を意味する。
「第４側部Ｓ４側（または方向という場合がある）」とは、図３（Ａ）では、時計の９時方向（図の破線矢印参照）を意味する。さらにいえば、図１では紙面の背面側の方向、図２では紙面の右側の方向を意味する。
単に側部Ｓ方向とは、前記第１側部Ｓ１側（または方向という場合がある）から前記第４側部Ｓ４側（または方向という場合がある）の全ての方向ないしこれらの間の全てを含む。
第１側部Ｓ１から第４側部Ｓ４のいずれか１つを、「一方向の側部Ｓ」（例えば第１側部Ｓ１側）、「他方向の側部Ｓ」（例えば第２側部Ｓ２側）と記載する場合がある。
「第１側部Ｓ１から第２側部Ｓ２」、「第３側部Ｓ３から第４側部Ｓ４」を、「一方向の側部Ｓから他方向の側部Ｓ」と記載する場合がある。
（定義３）
本発明のドリップチャンバ１で、「長手方向」とは、「ドリップチャンバ１」の長尺方向（長い方向）を意味する。
【００２１】
［ドリップチャンバ１、１´、１´´、１０１、２０１、３０１、４０１、５０１］
本発明（第１実施例、第２実施例、第３実施例、第４実施例、第５実施例、第６実施例、第７実施例、第８実施例）のドリップチャンバ１、１´、１´´、１０１、２０１、３０１、４０１、５０１について、以下、図面を参照しながら説明する。
図１から図４は、第１実施例のドリップチャンバ１、図５から図７は、第２実施例のドリップチャンバ１´、図８から図９は、第３実施例のドリップチャンバ１´´、図１０から図１６は、第４実施例のドリップチャンバ１０１、図１７から図２２は、第５実施例のドリップチャンバ２０１、図２３から図２６は、第６実施例のドリップチャンバ３０１、図２７は、第７実施例のドリップチャンバ４０１、図２８は、第８実施例のドリップチャンバ５０１を例示している。
【００２２】
第２実施例のドリップチャンバ１´が、第１実施例のドリップチャンバ１と主に異なる点は、第二接続管８を設けることなく、中間接続部５の下部Ｄ側を、直接、下部接続部３の上部Ｕ側に、接続した点である。
第３実施例のドリップチャンバ１´´が、第１実施例、第２実施例のドリップチャンバ１、１´と主に異なる点は、中間接続部５´´の内壁に、上部Ｕ方向に向けて傾斜するテーパ５Ｐを形成した点である。
【００２３】
第４実施例、第５実施例、第６実施例、第７実施例及び第８実施例のドリップチャンバ（１０１、２０１、３０１、４０１、５０１）が、第１〜第３実施例のドリップチャンバ（１、１´、１´´）と異なる点は、中間接続部（１０５、２０５、３０５、４０５、５０５）に、新たに透析液流入管（２０、２２０、３２０、４２０、５２０）を装着した点である。
【００２４】
本発明（第１〜第８実施例）のドリップチャンバ（１、１´、１´´、１０１、２０１、３０１、４０１、５０１）は、血液透析、血液透析濾過、血液浄化の際に使用される血液回路の途中に配置される。
血液透析濾過は、血液透析（ＨＤ）と血液濾過（ＨＦ）の組み合わせで、「ＨＤＦ」と称される。ＨＤＦには、オフラインＨＤＦとオンラインＨＤＦがある。
オフラインＨＤＦは、瓶（容器）や補液バッグに入った薬剤を補充液として使用する方法で、ろ過するために追加される補充液量は少ない。
オンラインＨＤＦは、透析液をそのまま補充液として使用する方法で、ろ過するために追加される補充液量が多くなる。このためオンラインＨＤＦのほうがより多くのろ過をかけることができ、より多くの老廃物を取り除くことができる。
【００２５】
血液透析、血液透析濾過、血液浄化の際、血液は流速：２００〜３００ｍＬ／ｍｉｎで動脈側チャンバ、静脈側チャンバ内に流入される。
オンラインＨＤＦは、血液透析器（ＤＬ）へ血液を導入する前に、補充液で希釈する前希釈法と、血液透析器（ＤＬ）から排出された血液を補充液で希釈する後希釈法がある。
前希釈法では、透析液は、流速：２５０〜３００ｍＬ／ｍｉｎで、動脈側チャンバに導入される。
後希釈法では、透析液は、流速：２５〜６０ｍＬ／ｍｉｎで、静脈側チャンバに導入される。
血液透析、血液透析濾過、血液浄化の公知の方法では、血液は、チャンバの上部Ｕ、側部Ｓまたは下部Ｄのいずれか一方向から流入させ、補充液は、チャンバの上部Ｕから流入させている。
血液透析とオフラインＨＤＦでは、瓶（容器）や補液バックに入った薬剤（補充液）は、位置落差または補充液ポンプ等を使用して動脈側ないし静脈側のチャンバーに流入させる。
オンラインＨＤＦでは、透析装置（機械）のポンプを使用して、透析液（補充液）を動脈側チャンバに流入させる。
本発明（第１〜第３実施例）のドリップチャンバ（１、１´、１´´）は、血液透析、オフラインＨＤＦに使用される。
本発明（第４〜第８実施例）のドリップチャンバ（１０１、２０１、３０１、４０１、５０１）は、オンラインＨＤＦに好適に使用される。
【００２６】
本発明の第５実施例のドリップチャンバ２０１の例では、（Ａ）血液は、血液流入管１１０から流速：２００〜３００ｍＬ／ｍｉｎで流入させる。
（Ｂ）透析液は透析液流入管２２０から、（Ｂ１）前希釈法では、流速：２５０〜３００ｍＬ／ｍｉｎ、（Ｂ２）後希釈法では、流速：２５〜６０ｍＬ／ｍｉｎで流入させる。
オンラインＨＤＦでドリップチャンバ２０１内に流入する液体（血液と透析液）の流速は、前希釈法では、（Ａ）＋（Ｂ１）＝４５０〜６００ｍＬ／ｍｉｎとなる。後希釈法では、（Ａ）＋（Ｂ２）＝２２５〜３６０ｍＬ／ｍｉｎとなる。
血液のみの流速：１とすると、血液と透析液の流速は、前希釈法の場合は２．２５〜３倍となり、後希釈法の場合は、１．１２５〜１.２倍となる。
【００２７】
第４実施例、第５実施例、第６実施例、第７実施例及び第８実施例のドリップチャンバ（１０１、２０１、３０１、４０１、５０１）は、ドリップチャンバ（１０１、２０１、３０１、４０１、５０１）内に最初に充填されるプライミング液としての透析液と血液の２種類の液体のそれぞれのドリップチャンバ（１０１、２０１、３０１、４０１、５０１）内への流入位置、流入方向、流入角度を規定している。
そしてドリップチャンバ（１０１、２０１、３０１、４０１、５０１）内に最初に充填され、旋回流を生じさせている透析液の中に、血液を旋回流ないし直進流で流入させると、血液は、旋回流の場合、自己の旋回流よる流速と、透析液の旋回流の流れに乗って、上部Ｕ側に押し上げられ、血液と同時に流入した気泡Ａｂも上部Ｕ側に押し上げられる。気泡Ａｂは、血液の旋回流ないし直進流、透析液の旋回流に抗って、下部Ｄ側へは移動することない。気泡Ａｂは上部Ｕ側から排気管等より速やかに排出することができる。
【００２８】
血液は、直進流の場合でも、透析液の旋回流の中に流入すると、透析液の旋回流の流れに乗って、上部Ｕ側に押し上げられ、血液と同時に流入した気泡Ａｂも上部Ｕ側に押し上げられる。気泡Ａｂは、血液の旋回流ないし直進流、透析液の旋回流に抗って、下部Ｄ側へは移動することない。気泡Ａｂは上部Ｕ側から排気管等より速やかに排出することができる。
血液は、透析液と比較して比重が大きいので、透析液よりも高い位置から流入するようにする。
すなわち比重が大きい血液のドリップチャンバ（１０１、２０１、３０１、４０１、５０１）内への流入口である開口部（１１０Ｏ、２１０Ｏ、３１０Ｏ、４１０Ｏ、５１０Ｏ）を、比重の小さい透析液等のドリップチャンバ（１０１、２０１、３０１、４０１、５０１）内への流入口である開口部（２０Ｏ、２２０Ｏ、３２０Ｏ、４２０Ｏ、５２０Ｏ）よりも上部Ｕ側に配置する。
【００２９】
第４実施例は、血液は一方向の側部Ｓ側から、透析液は他方向の側部Ｓ側から、お互いに異なる側部Ｓ側から対向して旋回流で流入するようにしたものである。
第５実施例は、血液と透析液は、一方の側部（Ｓ）側から、実質的に同じ側部（Ｓ）側から、旋回流で流入するようにしたものである。さらにいえば、流入する側部Ｓ側の位置、すなわち血液流入点ＢＩＰと透析液流入点ＤＩＰとは、実質的に同じ側部Ｓ側の位置に配置している。
第６実施例は、血液は一方向の側部Ｓ側から、透析液は他方向の側部Ｓ側から、お互いに異なる側部Ｓ側から、同じ方向の旋回流で流入するようにしたものであるが、第５実施例と異なる点は、流入する側部Ｓ側の位置、すなわち血液流入点ＢＩＰ（開口部３１０Ｏ）と透析液流入点ＤＩＰ（開口部３２０Ｏ）とは、所定の間隔を置いて配置している点である。
第７実施例は、血液は一方向の側部Ｓ側から、透析液は他方向の側部Ｓ側から、お互いに異なる側部Ｓ側から同じ方向から流入するようにしたものであるが、第６実施例と異なる点は、血液は直流で流入するようにした点である。
第８実施例は、血液は一方向の側部Ｓ側から、透析液は他方向の側部Ｓ側から、お互いに異なる側部Ｓ側から対向して流入するようにしたものであるが、第４実施例と異なる点は、血液は直流で流入するようにした点である。
【００３０】
以下、発明の説明、図面において、説明、符号の煩雑化を防ぐために、主として第１実施例のドリップチャンバ１について説明する。第２実施例のドリップチャンバ１´、第３実施例のドリップチャンバ１´´、第４から第８実施例のドリップチャンバ（１０１、２０１、３０１、４０１、５０１）は、第１実施例のドリップチャンバ１と異なる部分（形状・構造）、使用方法のみ説明する。
第２実施例のドリップチャンバ１´、第３実施例のドリップチャンバ１´´、第４から第８実施例のドリップチャンバ（１０１、２０１、３０１、４０１、５０１）は、第１実施例のドリップチャンバ１と異なる部材のみに、「´」、「´´」または異なる符号を記載した。共通する部材の符号はそのままとした。
第１実施例のドリップチャンバ１は、上部接続部２、下部接続部３、中間接続部５、第一接続管７及び第二接続管８を有する。
第２実施例のドリップチャンバ１´は、第二接続管８を設けずに、上部接続部２、下部接続部３、中間接続部５及び接続管７´を有する。
第３実施例のドリップチャンバ１´´は、上部接続部２、下部接続部３、中間接続部５´´、第一接続管７及び第二接続管８を有しても良いし、第二接続管８を設けずに、上部接続部２、下部接続部３、中間接続部５´´及び接続管７´を有してもよい。
第４実施例〜第８実施例のドリップチャンバ（１０１、２０１、３０１、４０１、５０１）は、中間接続部５と、少なくとも上部接続部２及び下部接続部３があればよく、中間接続部５を前記第１実施例・第２実施例のドリップチャンバ（１、１´）と同様に、第一接続管７、第二接続管８、接続管７´に装着（接続）してもよい。
【００３１】
[上部接続部２]
上部接続部２は、上部キャップ、上部筒体という場合がある。
上部接続部２は、図１、図２に例示するように、いわゆる「略管状」の形態を有する。
上部接続部２は、上部Ｕ側に、圧力モニタ管２Ｐ、補液管２Ｌ、排液管２Ｗ、及び液面調整管２Ｒを形成している。
【００３２】
第１実施例のドリップチャンバ１は、上部接続部２は、下部Ｄ側に、第一接続管７を介して、中間接続部５の上部Ｕを接続している。
第２実施例のドリップチャンバ１´は、上部接続部２は、下部Ｄ側に、接続管７´を介して、中間接続部５の上部Ｕ側を接続している。
上部接続部２は、下部Ｄ側の内壁に、第一接続管７、接続管７´を、嵌合して接続できる溝部等を形成している。なお上部接続部２の「溝部等」は、後述する中間接続部５の上部Ｕ側の溝部５Ｍと実質的に同じであるから図示は省略する。以下、中間接続部５の下部Ｄ側、下部接続部３の上部Ｕ側の溝部等も同様に図示は省略する。
【００３３】
[下部接続部３]
下部接続部３は、下部キャップ、下部筒体という場合がある。
下部接続部３は、図１、図２に例示するように、いわゆる「漏斗状」の形態を有する。途中にテーパ３Ｔ（２箇所）を形成している。
下部接続部３は、下部Ｄ側に、血液流出管１１を接続（一体成形）している。
第１実施例のドリップチャンバ１は、下部接続部３は、上部Ｕ側に、第二接続管８を介して、中間接続部５の下部Ｄ側を接続している。
第２実施例のドリップチャンバ１´は、下部接続部３は、上部Ｕ側に、中間接続部５´の下部Ｄ側を、直接、接続している。
下部接続部３は、上部Ｕ側の内壁に、第二接続管８、接続管７´を、嵌合して接続できる溝部等（図示略）を形成している。
【００３４】
[中間接続部５、５´]
中間接続部５、５´は、図１、図２、図３（Ａ）〜（Ｄ）に例示するように、いわゆる「略管状」の形態を有する。
中間接続部５、５´は、第３側部Ｓ３方向に沿うように、血液流入管１０を配置している。
第１実施例のドリップチャンバ１は、中間接続部５は、上部Ｕ側に第一接続管７を介して、上部接続部２の下部Ｄ側を接続している。さらに下部Ｄ側に第二接続管８を介して、下部接続部３の上部Ｄ側を接続している。
第２実施例のドリップチャンバ１´は、中間接続部５´は上部Ｕ側に接続管７´を介して、上部接続部２の下部Ｄ側を接続している。さらに下部Ｄ側に、直接、下部接続部３の上部Ｄ側を接続している。
第３実施例のドリップチャンバ１´´の中間接続部５´´は、後述する。
第４実施例〜第８実施例のドリップチャンバ１０１、２０１、３０１、４０１、５０１の中間接続部１０５、２０５、３０５、４０５、５０５も後述する。
【００３５】
第１実施例のドリップチャンバ１は、中間接続部５は、上部Ｕ側の内壁に、第一接続管７を、嵌合して接続できる溝部５Ｍ等を形成している。
溝部５Ｍは、図３（Ｂ）に例示するように、上部Ｕ側近傍の内壁に段部５Ｄを形成し、当該段部５Ｄと上部Ｕ側との間に形成している。
下部Ｄ側の内壁に、第二接続管７、下部接続部３を嵌合して接続できる溝部（図示略）等を形成している。
第２実施例のドリップチャンバ１´は、中間接続部５´は、下部Ｄ側に、突起部５´Ｔを形成し、下部接続部３の溝部（図示略）等に、嵌合して接続できるようにしている。
【００３６】
本発明の血液流入管１０の特徴を明記するために、次の定義をおく。
「血液流入角度θ」を、図２に例示するように一方向の側部Ｓ−他方向の側部Ｓ（第３側部Ｓ３−第４側部Ｓ４）方向の水平線ＳＬと、血液流入管１０の長手Ｌ方向に沿う中心線ＣＬとが鋭角で交わる角度と定める。
「血液流入点ＢＩＰ」を、血液が中間接続部５からドリップチャンバ１内部に流入する位置と定める。さらにいえば「血液流入点ＢＩＰ」は、後述する血液流入管１０の開口部１０Ｏの略中心位置と定める。
「最上点ＨＰ」を、ドリップチャンバ１の最上位置で、上部接続部２の最上位置と定める。
「最下点ＬＰ」を、ドリップチャンバ１の最下位置で、下部接続部３の血液流出口
１１Ｏの最下位置と定める。
「チャンバー全体の長さＬ」を、最上点ＨＰから最下点ＬＰまでの長さと定める。
「最上点ＨＰ」から「血液流入点ＢＩＰ」までの長さを「Ｌ１」と定める。
「血液流入点ＢＩＰ」から「最下点ＬＰ」までの長さを「Ｌ２」と定める。
【００３７】
血液流入管１０は、血液流入口１０Ｉと、開口部１０Ｏとを有する。
血液流入管１０は、ドリップチャンバ１の側部Ｓ側で、かつ下部Ｄ側から上部Ｕ側に向けて、所定の血液流入角度θで配置している。
さらに詳述すれば、血液流入管１０は、ドリップチャンバ１の一方向の側部Ｓ側から他方向の側部Ｓ側、具体的には第３側部Ｓ３側（血液流入口１０Ｉ側）から第４側部Ｓ４側（開口部１０Ｏ）に沿うように配置している。
開口部１０Ｏは、一方向の側部Ｓと他方向の側部Ｓとの間で、一方向の側部Ｓに近い位置に配置し、具体的には第１側部Ｓ１側と第３側部Ｓ３との間で、第１側部Ｓ１側に近い位置に配置している。
さらに下部Ｄ側から上部Ｕ側に向けて、血液流入口１０Ｉから開口部１０Ｏ方向へ上るように傾斜して、中間接続部５、５´に装着（一体成形）している。
中間接続部５、５´の内部と、血液流入管１０の内部とは、開口部１０Ｏを経て連通している。
開口部１０Ｏは、中間接続部５、５´の略中腹部に位置するように配置している。
【００３８】
「血液流入角度θ」は、５°〜４５°、好ましくは１０°〜３０°、より好ましくは１５°〜２０°に形成するのが良い。
あまり角度が小さい（５°未満）と、血液Ｂｂとともにドリップチャンバ１（中間接続部５）内に導入される気泡Ａｂは、上部Ｕ方向に移動しずらく、十分な気泡抜き性能が期待できない。
他方、あまり角度が大きい（４５°を超える）と、ドリップチャンバ１（中間接続部５）内に導入される血液Ｂｂは、中間接続部５の内壁に沿って円周状に旋回流とならず、一部は上部接続部２の天井壁の下部（底壁）にまで上昇し、液面の乱れ、泡立ち等の原因となるので、好ましくない。
また乱流となりやすいので好ましくない。またドリップチャンバ１内に導入される血液Ｂｂは、上部Ｕ側から下部Ｄ側に移動するのに時間かかり、血液Ｂｂの循環速度が遅くなる（上部接続部２側で滞留しやすくなる）ので好ましくない。
【００３９】
「Ｌ１」は、少なくとも２０ｍｍ以上あれば、十分な気泡抜き性能を得ることができる。
Ｌ１は、あまり小さい（２０ｍｍ未満）と、気泡抜き性能が発揮できないため好ましくない。
気泡抜き性能を高めるには、通常使用されるドリップチャンバのサイズを考慮すると、好ましくは３０ｍｍ以上、１２０ｍｍ以下がよい。
Ｌ１は、大きくするほど、気泡抜き性能が向上すると考えられるが、あまり大きい（１２０ｍｍを超える）と、血液流入点ＢＩＰの位置が血液流出口１１に近くなり、血液中に気泡が混入しやすくなる。血液中に気泡が混入したまま血液流出口１１より、血液回路内に戻すのは好ましくない。
【００４０】
Ｌ２は、ドリップチャンバ１の所要のプライミング量（生理食塩液、血液）で変動するが、３０〜１５０ｍｍ、好ましくは５０〜１２０ｍｍあればよい。 
Ｌ２は、あまり小さい（３０ｍｍ未満）と、血液流入点ＢＩＰの位置が血液流出口１１に近くなり、血液中に気泡が混入しやすくなるので好ましくない。
Ｌ２は、あまり大きい（１５０ｍｍを超える）と、プライミング量が多くなりすぎるため好ましくない。
以上より、通常のドリップチャンバ（小児用を除く）のサイズでは、所定のプライミング量を確保でき、気泡抜き効果が発揮できるＬ１とＬ２の長さの比率は、７０：３０〜３０：７０に形成するのがよい。
【００４１】
次に本発明のドリップチャンバ１の使用方法の一例について説明する。
（１）生理食塩液を、血液流入管１０より、ドリップチャンバ１内に導入する。生理食塩液は上部接続部２の下部の位置まで導入する。
（２）血液を、血液流入管１０の血液流入点ＢＩＰからドリップチャンバ１内に導入する。
（３）血液は、図４に例示するように、第３側部Ｓ３（３時）方向から上部側に向かって、ドリップチャンバ１（中間接続部５）内壁を、第１側部Ｓ１（１２時）方向⇒第４側部Ｓ４（９時）方向⇒第２側部Ｓ２（６時）方向⇒第３側部Ｓ３（３時）方向（⇒第１側部Ｓ１（１２時）方向・・・以下、繰り返し）旋回しながら流入する。
【００４２】
（４）血液中に混入した気泡は、上部接続部２側へ移動し、液面調整管２Ｒを経て排出される。
（５）旋回が終わった血液は、チャンバー下部Ｄ側に移動し貯留される。貯留された血液は、さらに血液流出管１１の血液流出口１１Ｏを経て排出される。
以上のように、本発明は、血液流入管１０は、ドリップチャンバ１の一方向の側部Ｓ側から他方向の側部Ｓ側、すなわち第３側部Ｓ３側（血液流入口１０Ｉ側）から第４側部Ｓ４側、かつ下部Ｄ側から上部Ｕ側に向けて、血液流入角度θが５°〜４５°となるように配置しているので、血液中に混入した気泡の分離が容易になる。 
【００４３】
［第３実施例のドリップチャンバ１´´の中間接続部５´´］
中間接続部５´´は図８（Ａ）、（Ｂ）に例示するように、内壁に、上部Ｕ方向に向けて傾斜するテーパ５Ｐを形成している。
第１・第２実施例のドリップチャンバ１、１´の中間接続部５、５´のように内壁が実質的に垂直な場合、血液流入管１０の血液流入口１０Ｉからドリップチャンバ１内に導入された血液Ｂｂは、全てが第３側部Ｓ３（３時）方向から上部側に向かって流れず、第３側部Ｓ３（３時）方向から第４側部Ｓ４（９時）方向に移動した後、下部Ｄ側（血液流出口１１Ｏ）方向へも流れる。血液流入角度θが小さくなれば、下部Ｄ側（血液流出口１１Ｏ）方向への流れも多くなる。
第３実施例の中間接続部５´´は、血液流入管１０の血液流入口１０Ｉからドリップチャンバ１´´内に導入された血液Ｂｂが、実質的に全て第３側部Ｓ３（３時）方向から上部側に向かって流れるようにして、血液Ｂｂ中に混入した気泡Ａｂの分離をさらに効率よくできるようにしたものである。
【００４４】
テーパ部５ＴＰの（傾斜）角度は、上部Ｕ‐下部Ｄ方向の垂直線ＶＬとテーパ部５ＴＰ（の傾斜線）とが鋭角で交わる角度θ２と定める。    
「テーパ部５ＴＰの角度θ２」は、５°〜４５°、好ましくは１０°〜３５°、より好ましくは１５°〜３０°に形成するのが良い。
あまり角度が小さい（５°未満）と、血液流入管１０の血液流入口１０Ｉからドリップチャンバ１内に導入された血液Ｂｂは、上部Ｕ方向に移動しずらくなる。ひいてば、十分な気泡抜き性能が期待できない。
他方、あまり角度が大きい（４５°を超える）と、血液流入管１０の血液流入口１０Ｉからドリップチャンバ１内に導入された血液Ｂｂは、勢い余って、上部接続部２の天井壁の下部（底壁）にまで急激に上昇し、これらに衝突して、液面の乱れ、泡立ち等の原因となるので、好ましくない。
また、あまり角度が大きくなると、ドリップチャンバ１内の血液流路を狭め、ドリップチャンバ１下部への血液Ｂｂの移動が阻害されるので好ましくない。
【００４５】
次に本発明のドリップチャンバ１´´の使用方法の一例について説明する。
（１）生理食塩液を、血液流入管１０より、ドリップチャンバ１´´内に導入する。生理食塩液は上部接続部２の下部の位置まで導入する。
（２）血液を、血液流入管１０の血液流入点ＢＩＰからドリップチャンバ１´´内に導入する。
（３）血液は、図９に例示するように、第３側部Ｓ３（３時）方向から下部Ｄ側方より上部側に向かって、ドリップチャンバ１´´（中間接続部５´´）内壁を、第１側部Ｓ１（１２時）方向⇒上部Ｕ方向−第４側部Ｓ４（９時）方向⇒上部Ｕ方向−第２側部Ｓ２（６時）方向⇒上部Ｕ方向−第３側部Ｓ３（３時）方向（以下・・・⇒第１側部Ｓ１（１２時）方向・・・以下、繰り返し）旋回しながら流入する。
【００４６】
（４）血液中に混入した気泡は、上部接続部２側へ移動し、液面調整管２Ｒを経て排出される。
（５）旋回が終わった血液は、チャンバー下部Ｄ側に移動し貯留される。貯留された血液は、さらに血液流出管１１の血液流出口１１Ｏを経て排出される。中間接続部５´´の内壁に、テーパ部５ＴＰを形成することにより、血液流入管１０により、流入してきた血液を、確実に上部Ｕ側に移動させることができるので、気泡抜きをより効率的に行うことができる。
【００４７】
さらにいえば、特許文献１のように、ドリップチャンバ内に、仕切〈８〉を配置していないので、血液流入管１０により、血液流入角度θが５°〜４５°で血液ともに流入してきた気泡を上部Ｕ側に容易に移動させることができ、気泡抜きを容易に行うことができる。
さらに加えて、中間接続部５´´の内壁に、角度θ２が５°〜４５°のテーパ部５ＴＰを形成することにより、血液流入管１０により、流入してきた血液を、確実に上部Ｕ側に移動させることができるので、気泡抜きをより効率的に行うことができる。
【００４８】
また特許文献２のように、上部接続部２（上端部〈７２〉）の径を大きくしなくても、上部接続部と中間接続部（５、５´、５´´）との間の第一接続管７（接続管７´）の長さを調整することにより、気泡抜き効果を向上させることができる。
また通常のサイズのドリップチャンバでは、第二接続管８の長さを調整することによりプライミング量を調整することができる。
小児用のドリップチャンバでも、同様にプライミング量を調整できるが、第二接続管８を使用しない第２実施例のドリップチャンバ１´で、第一接続管７´の長さを調整することにより、プライミング量を調整することができる。
【００４９】
［第４〜第６実施例のドリップチャンバ１０１、２０１、３０１の中間接続部１０５、２０５、３０５］
中間接続部（１０５、２０５、３０５）は、図１０〜図２６に例示するように、血液流入管（１１０、２１０、３１０）と透析液流入管（２０、２２０、３２０）を所定の位置に装着している。
以下第４〜第６実施例のドリップチャンバ（１０１、２０１、３０１）と中間接続部（１０５、２０５、３０５）とについて、第１〜第３実施例のドリップチャンバ（１、１´、１´´）と中間接続部（５、５´、５´´）と異なる点について説明する。
【００５０】
以下第４〜第６実施例のドリップチャンバ（１０１、２０１、３０１）と中間接続部（１０５、２０５、３０５）の透析液流入管（２０、２２０、３２０）の特徴を明記するために、次の定義をおく。
「透析液流入角度θ３」を、図１２、１５、１９、２１、２４、２５に例示するように一方向の側部Ｓから他方向の側部Ｓ方向（第３側部Ｓ３から第４側部Ｓ４方向）の水平線ＳＬと、透析液流入管（２０、２２０、３２０）の長手Ｌ方向に沿う中心線ＣＬとが鋭角で交わる角度と定める。
【００５１】
なお、図１５、１６、２１、２２、２５、２６では、θ３、θの角度が理解しやすいように、透析液流入管（２０、２２０、３２０）、血液流入管（１１０、２１０、３１０）は、第２側部Ｓ２方向から第１側部Ｓ１方向寄り、第１側部Ｓ１方向から第２側部Ｓ２方向寄りに見た状態を誇張して記載している。
θ３も前記θと同様の理由で同様の範囲、すなわち５°〜４５°、好ましくは１０°〜３０°、より好ましくは１５°〜２０°に形成するのが良い。
「透析液流入点ＤＩＰ」を、透析液が中間接続部１０５からドリップチャンバ１０１内部に流入する位置と定める。さらにいえば「透析液流入点ＤＩＰ」は、後述する透析液流入管２０の開口部２０Ｏの略中心位置と定める。
「血液流入角度θ」、「最上点ＨＰ」、「最下点ＬＰ」、「チャンバー全体の長さＬ」、「Ｌ１」、「Ｌ２」の定義、これらの好ましい範囲等の説明は、前記第１から第３実施例のドリップチャンバの説明と実質的に同じであるから省略する。
【００５２】
「最上点ＨＰ」から「透析液流入点ＤＩＰ」までの長さを「Ｌ３」と定める。
「透析液流入点ＤＩＰ」から「最下点ＬＰ」までの長さを「Ｌ４」と定める。
Ｌ３も前記Ｌ１と同様の理由により、前記Ｌ１と実質的に同様の長さにするのがよい。Ｌ４も前記Ｌ２と同様の理由により、前記Ｌ２と実質的に同様の長さにするのがよい。
Ｌ３とＬ４の長さの比率も前記「Ｌ１とＬ２の長さの比率」と実質的に同様に形成するのがよい。
「Ｌ２」は、血液流入点ＢＩＰの高さ「ＨＢＩ」ともいう。
「Ｌ４」は、透析液流入点ＤＩＰの高さ「ＨＤＩ」ともいう。
「ＢＩＰ」と「ＤＩＰ」との間の距離を「ＤＳＢＤ」とすると、「ＤＳＢＤ」は、ＤＳＢＤ＝Ｌ−（Ｌ１＋Ｌ４）となる。
「ＤＳＢＤ」は、１０ｍｍから６０ｍｍ、好ましくは１０ｍｍから４０ｍｍ、より好ましくは１２ｍｍから３０ｍｍに形成する。
あまり小さい（１０ｍｍ未満）と、流入口（血液流入管１１０の開口部１１０Ｏと透析液流入管２０の開口部２０Ｏ）とが重なる（接近しすぎる）ので好ましくない。
あまり大きい（６０ｍｍ以上）と、ドリップチャンバが長くなりすぎて好ましくない。
【００５３】
［第４実施例のドリップチャンバ１０１と中間接続部１０５］
中間接続部１０５は、血液は一方向の側部Ｓ側から、透析液は他方向の側部Ｓ側から、お互いに異なる側部Ｓ側から対向して旋回流で流入するようにしたものである。
中間接続部１０５は、図１０から図１６に例示するように、一方向の側部Ｓから他方向の側部Ｓ、すなわち、第３側部Ｓ３側から第４側部Ｓ４側に沿うように、血液流入管１１０と透析液流入管２０を配置している。
血液流入管１１０は、血液流入口１１０Ｉは、一方向の側部Ｓ、すなわち第３側部Ｓ３側、血液流入点ＢＩＰ（開口部１１０Ｏ）は一方向の側部から他方向の側部との間で、一方向の側部Ｓに近い位置、すなわち、第２側部Ｓ２側と第３側部Ｓ３側との間で、第２側部Ｓ２側に近い位置に配置している。
透析液流入管２０は、透析液流入口２０Ｉは一方向の側部Ｓ、すなわち第３側部Ｓ３側、透析液流入点ＤＩＰ（開口部２０Ｏ）は、一方向の側部から他方向の側部との間で、一方向の側部Ｓに近い位置、すなわち、第１側部Ｓ１側と第３側部Ｓ３側との間で、第１側部Ｓ１側に近い位置に配置している。
血液流入管１１０は、透析液流入管２０よりも上部Ｕ側に配置している。
「Ｌ２」＞「Ｌ４」で、「ＨＢＩ」＞「ＨＤＩ」としている。
【００５４】
［第５実施例のドリップチャンバ２０１と中間接続部２０５］
中間接続部２０５は、血液と透析液は、一方向の側部Ｓ側から、実質的に同じ側部Ｓ側から、旋回流で流入するようにしたものである。
さらにいえば、流入する側部Ｓ方向の位置、すなわち血液流入点ＢＩＰ（開口部２１０Ｏ）と透析液流入点ＤＩＰ（２２０Ｏ）とは、実質的に同じ側部Ｓ方向の位置に配置している。
【００５５】
さらに詳述すれば、中間接続部２０５は、図１７から図２２に例示するように、
一方向の側部から他方向の側部、すなわち、第３側部Ｓ３側から第４側部Ｓ４側に沿うように、血液流入管２１０と透析液流入管２２０を配置している。
血液流入管２１０は、血液流入口２１０Ｉは一方向の側部、すなわち第３側部Ｓ３側、血液流入点ＢＩＰ（開口部２１０Ｏ）は、一方向の側部から他方向の側部との間で、一方向の側部Ｓに近い位置、すなわち第１側部Ｓ１側と第３側部Ｓ３側との間で、第１側部Ｓ１側に近い位置に配置している。
透析液流入管２２０は、透析液流入口２２０Ｉは一方向の側部、すなわち、第３側部Ｓ３側、透析液流入点ＤＩＰ（開口部２２０Ｏ）は、一方向の側部から他方向の側部との間で、一方向の側部Ｓに近い位置、すなわち、第１側部Ｓ１側と第３側部Ｓ３側との間で、第１側部Ｓ１側に近い位置に配置している。
血液流入管２１０は、透析液流入管２２０よりも上部Ｕ側に配置している。
「Ｌ２」＞「Ｌ４」で、「ＨＢＩ」＞「ＨＤＩ」としている。
【００５６】
［第６実施例のドリップチャンバ３０１と中間接続部３０５］
中間接続部３０５は、血液は一方向の側部Ｓ側から、透析液は他方向の側部Ｓ側から、お互いに異なる側部Ｓ側から、同じ方向の旋回流で流入するようにしたものであるが、
第５実施例と異なる点は、流入する側部方向の位置、すなわち血液流入点ＢＩＰ（開口部３１０Ｏ）と透析液流入点ＤＩＰ（開口部３２０Ｏ）とは、所定の間隔を置いて配置している点である。
さらに詳述すれば、中間接続部３０５は、図２３から図２６に例示するように、一方向の側部から他方向の側部、すなわち、第３側部Ｓ３側から第４側部Ｓ４側に沿うように、血液流入管２１０と透析液流入管２２０を配置している。
血液流入管３１０は、血液流入口３１０Ｉは一方向の側部、すなわち、第３側部Ｓ３側、血液流入点ＢＩＰ（開口部３１０Ｏ）は一方向の側部から他方向の側部との間で、一方向の側部Ｓに近い位置、すなわち、第２側部Ｓ２側と第３側部Ｓ３側との間で、第２側部Ｓ２側に近い位置に配置している。
透析液流入管３２０は、透析液流入口３２０Ｉは、一方向の側部、すなわち、第４側部Ｓ４側、透析液流入点ＤＩＰ（開口部３２０Ｏ）は、一方向の側部から他方向の側部との間で、一方向の側部Ｓに近い位置、すなわち、第１側部Ｓ１側と第４側部Ｓ４側との間で、第１側部Ｓ１側に近い位置に配置している。
血液流入管３１０は、透析液流入管３２０よりも上部Ｕ側に配置している。
「Ｌ２」＞「Ｌ４」で、「ＨＢＩ」＞「ＨＤＩ」としている。
【００５７】
［第７実施例、第８実施例のドリップチャンバ４０１、５０１と中間接続部４０５、５０５］
第７実施例（図２７参照）、第８実施例（図２８参照）のように、透析液のみをドリップチャンバ（４０１、５０１）内にいわゆる「旋回流」として流入させ、血液はドリップチャンバ（４０１、５０１）に直進して流入させる（以下、いわゆる「直進流」）ように、「旋回流」と「直進流」のコンビネーションで流入させてもよい。
図２７、図２８のドリップチャンバ（４０１、５０１）ともに、血液流入管４１０、５１０は、第３側部Ｓ３側（３時の位置）に配置し、第３側部Ｓ３−第４側部Ｓ４と略平行となるように配置している。
図２７のドリップチャンバ４０１は、透析液流入管４２０、５２０は、第１側部Ｓ１側（１２時の位置）と第３側部Ｓ３側（３時の位置）との間で、第１側部Ｓ１側（１２時の位置）に近い位置に配置している。
図２８のドリップチャンバ５０１は、透析液流入管２０は、第１側部Ｓ１側（１２時の位置）と第４側部Ｓ４側（９時の位置）との間で、第１側部Ｓ１側（１２時の位置）に近い位置に配置している。
ドリップチャンバ（４０１、５０１）内に最初に充填され、旋回流を生じさせている透析液の中に、血液を直進流で流入させても、血液は、透析液の旋回流の流れに乗って、上部Ｕ側に押し上げられ、血液と同時に流入した気泡Ａｂも上部Ｕ側に押し上げられる。気泡Ａｂは、透析液の旋回流に抗って、下部Ｄ側へは移動することない。気泡Ａｂは上部Ｕ側から排気管等より速やかに排出することができる。
【００５８】
次に本発明［（第４〜第８実施例）／ドリップチャンバ（１０１、２０１、３０１、４０１、５０１）］の使用方法について説明する。
（１）ドリップチャンバ（１０１、２０１、３０１、４０１、５０１）内に、透析装置から透析液が（オンラインＨＤＦの前希釈法）２５０〜３００ｍＬ／ｍｉｎでプライミングされる。既にドリップチャンバ内では、透析液の下部Ｄ側から上部Ｕ側への流れ（以下、上部側への旋回流）が生じている。
（２）続いて血液が（１）のドリップチャンバ（１０１、２０１、３０１、４０１、５０１）内に、２５０〜３００ｍＬ／ｍｉｎで下部Ｄ側から上部Ｕ側へ（旋回流または直進流で）導入される。
（３）血液は既にドリップチャンバ（１０１、２０１、３０１、４０１、５０１）内で形成されている透析液の上部Ｕ側の旋回流に便乗して、上部Ｕ側への流れ（旋回流または直流）となる。
【００５９】
前記（１）〜（３）に続いて、以下、血液が旋回流として流入される場合と直進流として流入される場合に分けて説明する。
［血液が旋回流で導入される場合１］（第５実施例）（ドリップチャンバ２０１）
血液（旋回流）と透析液（旋回流）が同じ側部方向（実質的に同じ位置）から導入される場合（ドリップチャンバ２０１／図１９、２２参照）
〈１〉透析液は、透析液流入管２２０の透析液流入点ＤＩＰ（開口部２２０Ｏ）から、ドリップチャンバ２０１内に導入（プライミング）する。透析液は、ドリップチャンバ２０１内では、下部Ｄ側から上部Ｕ側に向けて継続して旋回流として流入する。
〈２〉透析液は第３側部Ｓ３（３時）方向から流入し、上部Ｕ側に向かって、ドリップチャンバ２０１（中間接続部２０５）内壁を、第１側部Ｓ１（１２時）方向⇒第４側部Ｓ４（９時）方向⇒第２側部Ｓ２（６時）方向⇒第３側部Ｓ３（３時）方向（⇒第１側部Ｓ１（１２時）方向・・・へ旋回し、次第に下部Ｄ方向へ移動（落下）する。
〈３〉透析液は所定の位置まで上昇すると旋回流としての勢いは消失して、下部Ｄ側へ流下する。
〈４〉〈１〉から〈３〉が反復して継続する。
【００６０】
〈５〉血液は血液流入管２１０の血液流入点ＢＩＰ（開口部２１０Ｏ）からドリップチャンバ２０１内に導入する。
血液は第３側部Ｓ３（３時）方向から流入し、上部Ｕ側に向かって、ドリップチャンバ２０１（中間接続部２０５）内壁を、第１側部Ｓ１（１２時）方向⇒第４側部Ｓ４（９時）方向⇒第２側部Ｓ２（６時）方向⇒第３側部Ｓ３（３時）方向⇒第１側部Ｓ１（１２時）方向・・・へ旋回し、次第に下部Ｄ方向へ移動（落下）する。血液は所定の位置まで上昇すると旋回流としての勢いは消失して、下部Ｄ側へ流下する。
【００６１】
血液は〈２〉の透析液の上部Ｕ側の旋回流に便乗して、上部Ｕ側へ旋回しながら上昇する。
血液は透析液と同じ側部側（実質的に同じ位置）から流入するので、透析液の透析液の上部Ｕ側の旋回流に便乗して、高速で上部Ｕ側へ旋回しながら上昇するので上昇する位置は高くなる。透析液も血液が流入すると、血液の旋回流と合流して高い位置まで上昇する。
透析液は（前希釈法では）流速２５０〜３００ｍＬ／ｍｉｎ［（後希釈法では）２５〜６０ｍＬ／ｍｉｎで導入される。］、血液はドリップチャンバ１０１内に流速：２００〜３００ｍＬ／ｍｉｎで導入される。
このためドリップチャンバ２０１内に下部Ｄ側から上部Ｕ側に、所定の角度θで導入される液体（透析液と血液）の流速は、二倍に加速されるので、血液と同時に流入した気泡Ａｂは、透析液と血液の上部Ｕ側への旋回流に巻き上げられて、上部Ｕ側へ移動し、排液管２Ｗ、液面調整管２Ｒ等から排出される。気泡Ａｂは、上部Ｕ側への旋回流に抗してその場に滞留ないし下部Ｄ側へ移動することもない。
〈６〉旋回流として勢いを失った血液と透析液は、血液流出管１１の血液流出口１１Ｏを経て排出される。
【００６２】
以上のように、本願の第５実施例は、血液流入管２１０に加えて、透析液流入管２２０を前記のように配置し、血液流入管１１０と透析液流入管２０を前記θとθ３（それぞれ５°〜４５°）となるように配置しているので、ドリップチャンバ１０１内に、血液と共に流入（混入）した気泡は上部Ｕ側に集積しやすくなり、当該気泡は、上部Ｕ側の排液管２Ｗ、液面調整管２Ｒ等を経て速やかに排出される。
【００６３】
［血液が旋回流で導入される場合２］（第６実施例）（ドリップチャンバ３０１）
血液（旋回流）と透析液（旋回流）が同じ側部方向（異なる位置）から導入される場合（ドリップチャンバ３０１／図２４、２６参照）
第６実施例は、第５実施例と比較して、血液は透析液と同じ方向の旋回流でドリップチャンバ３０１内に流入し、血液は透析液と異なった側部Ｓ側の位置から流入する点のみが異なる。
【００６４】
〈１〉透析液は、透析液流入管３２０の透析液流入点ＤＩＰ（開口部３２０Ｏ）から、ドリップチャンバ３０１内に導入（プライミング）する。透析液は、ドリップチャンバ３０１内では、下部Ｄ側から上部Ｕ側に向けて継続して旋回流として流入する。
〈２〉透析液は第４側部Ｓ４（９時）方向、第１側部Ｓ１（１２時）方向の透析液流入点ＤＩＰ（開口部３２０Ｏ）から流入し、上部Ｕ側に向かって、ドリップチャンバ３０１（中間接続部３０５）内壁を、第１側部Ｓ１（１２時）方向⇒第３側部Ｓ３（３時）方向⇒第２側部Ｓ２（６時）方向⇒第４側部Ｓ４（９時）方向（⇒第１側部Ｓ１（１２時）方向・・・へ旋回し、次第に下部Ｄ方向へ移動（落下）する。
〈３〉、〈４〉、〈６〉は前記（第５実施例）（ドリップチャンバ２０１）と同じ。
〈５〉血液は血液流入管２１０の血液流入点ＢＩＰ（開口部２１０Ｏ）からドリップチャンバ２０１内に導入する。
血液は第３側部Ｓ３（３時）方向、第２側部Ｓ方向の血液流入点ＢＩＰ（開口部３１０Ｏ）から流入し、上部Ｕ側に向かって、ドリップチャンバ３０１（中間接続部３０５）内壁を、第２側部Ｓ２（３時）方向⇒第４側部Ｓ４（９時）方向⇒第１側部Ｓ１（１２時）方向⇒第３側部Ｓ３（３時）方向⇒第２側部Ｓ２（３時）方向（⇒第４側部Ｓ４（９時）方向・・・へ旋回し、次第に下部Ｄ方向へ移動（落下）する。
このような場合でも、ドリップチャンバ３０１内に下部Ｄ側から所定の角度θで導入される液体（透析液と血液）の流速は、二倍に加速されるので、前記（第５実施例）（ドリップチャンバ２０１）と同様の効果が得られる。
【００６５】
［血液が旋回流で導入される場合３］（第４実施例）（ドリップチャンバ１０１）
血液（旋回流）と透析液（旋回流）が異なる側部Ｓ側から対向して導入される場合（ドリップチャンバ１０１／図１２、１６参照）
〈１〉透析液は、透析液流入管２０の透析液流入点ＤＩＰ（開口部２０Ｏ）から、ドリップチャンバ１０１内に導入（プライミング）する。透析液は、ドリップチャンバ１０１内では、下部Ｄ側から上部Ｕ側に向けて継続して旋回流として流入する。
〈２〉透析液は第３側部Ｓ３（３時）方向、・・から流入し、上部Ｕ側に向かって、ドリップチャンバ１０１（中間接続部１０５）内壁を、第１側部Ｓ１（１２時）方向⇒第４側部Ｓ４（９時）方向⇒第２側部Ｓ２（６時）方向⇒第３側部Ｓ３（３時）方向（⇒第１側部Ｓ１（１２時）方向・・・へ旋回し、次第に下部Ｄ方向へ移動（落下）する。
〈３〉、〈４〉、〈６〉は前記（第５実施例）（ドリップチャンバ２０１）と同じ。
〈５〉血液は血液流入管１１０の血液流入点ＢＩＰ（開口部１１０Ｏ）からドリップチャンバ１０１内に導入する。
血液は第３側部Ｓ３（３時）方向から流入し、上部Ｕ側に向かって、ドリップチャンバ１０１（中間接続部１０５）内壁を、第２側部Ｓ２（６時）方向⇒第４側部Ｓ４（９時）方向⇒第１側部Ｓ１（１２時）方向⇒第３側部Ｓ３（３時）方向⇒第２側部Ｓ２（６時）・・・方向へ旋回し、次第に下部Ｄ方向へ移動（落下）する。
【００６６】
血液と透析液は、血液流入管１１０と透析液流入管２０から、異なる側部Ｓ方向から所定の角度θ、θ３で、対向するように流入して旋回するが、血液は〈２〉の透析液の下部Ｄ側から上部Ｕ側の旋回流に便乗して、上部Ｕ側へ旋回しながら上昇する。
血液とともに流入（混入）した気泡Ａｂは、透析液と血液の上部Ｕ側への旋回流に巻き上げられて、上部Ｕ側へ移動し、排液管２Ｗ、液面調整管２Ｒ等から排出される。
気泡Ａｂは、上部Ｕ側への旋回流に抗して滞留や、下部Ｄ側へ移動することもない。
血液は透析液と対向した側部Ｓ側から流入するので、上昇する途中で透析液と衝突し、同じ側部Ｓ側から流入する前記（第５・第６実施例）（ドリップチャンバ２０１・３０１）の場合と比較して、上昇する位置は低くくなる。透析液も血液が流入すると、血液が流入する前と比較して、上昇する位置は低くなるが、気泡Ａｂの排出効果については、影響はない。
【００６７】
［血液が直進流で導入される場合１］（第７実施例）（ドリップチャンバ４０１）
血液（直流）と透析液（旋回流）が同じ方向で導入（異なる位置）される場合（ドリップチャンバ４０１／図２７参照）
〈１〉透析液は、透析液流入管４２０の透析液流入点ＤＩＰ（開口部４２０Ｏ）から、ドリップチャンバ４０１内に導入（プライミング）する。透析液は、ドリップチャンバ４０１内では、下部Ｄ側から上部Ｕ側に向けて継続して旋回流として流入する。
〈２〉透析液は第３側部Ｓ３（３時）方向、・・から流入し、上部Ｕ側に向かって、ドリップチャンバ４０１（中間接続部４０５）内壁を、第１側部Ｓ１（１２時）方向⇒第４側部Ｓ４（９時）方向⇒第２側部Ｓ２（６時）方向⇒第３側部Ｓ３（３時）方向（⇒第１側部Ｓ１（１２時）方向・・・へ旋回し、次第に下部Ｄ方向へ移動（落下）する。
〈３〉、〈４〉、〈６〉は前記（第５実施例）（ドリップチャンバ２０１）と同じ。
〈５〉血液は〈２〉透析液の旋回流の途中に割り込んで流入するが、透析液の上部Ｕ側の旋回流に便乗して、上部Ｕ側へ上昇する。血液と同時に流入した気泡Ａｂは、透析液の上部Ｕ側への旋回流に巻き上げられて、上部Ｕ側へ移動し、排気管２Ｗ（符号）から排出される。気泡Ａｂは、上部Ｕ側への旋回流に抗して滞留や、下部Ｄ側へ移動することもない。
【００６８】
［血液が直進流で導入される場合２］（第８実施例）（ドリップチャンバ５０１）
血液（直進流）と透析液（旋回流）が対向して導入される場合（ドリップチャンバ５０１／図２８参照）
〈１〉透析液は、透析液流入管５２０の透析液流入点ＤＩＰ（開口部５２０Ｏ）から、ドリップチャンバ５０１内に導入（プライミング）する。透析液は、ドリップチャンバ５０１内では、下部Ｄ側から上部Ｕ側に向けて継続して旋回流として流入する。
〈２〉透析液は第４側部Ｓ４（９時）方向、第１側部Ｓ１（１２時）方向の透析液流入点ＤＩＰ（開口部５２０Ｏ）から流入し、上部Ｕ側に向かって、ドリップチャンバ５０１（中間接続部５０５）内壁を、第１側部Ｓ１（１２時）方向⇒第３側部Ｓ３（３時）方向⇒第２側部Ｓ２（６時）方向⇒第４側部Ｓ４（９時）方向（⇒第１側部Ｓ１（１２時）方向・・・へ旋回し、次第に下部Ｄ方向へ移動（落下）する。
〈３〉、〈４〉、〈６〉は前記（第５実施例）（ドリップチャンバ３０１）と同じ。
〈５〉血液は〈２〉の透析液の旋回流の途中に割り込んで流入するが、透析液の上部Ｕ側の旋回流に便乗して、上部Ｕ側へ上昇する。血液と同時に流入した気泡Ａｂは、透析液の上部Ｕ側への旋回流に巻き上げられて、上部Ｕ側へ移動し、排気管２Ｗ（符号）から排出される。気泡Ａｂは、上部Ｕ側への旋回流に抗して滞留や、下部Ｄ側へ移動することもない。
血液は透析液と対向した側部Ｓ側から流入するので、上昇する途中で透析液と衝突し、同じ側部Ｓ側から流入する前記（第７実施例）（ドリップチャンバ４０１）の場合と比較して、上昇する位置は低くくなる。透析液も血液が流入すると、血液が流入する前と比較して、上昇する位置は低くなるが、気泡Ａｂの排出効果については、影響はない。
【００６９】
第４実施例〜第８実施例のドリップチャンバ（１０１、２０１、３０１、４０１、５０１）は、一個の中間接続部（１０５、２０５、３０５、４０５、５０５）に、
血液流入管（１１０、２１０、３１０、４１０、５１０）と透析液流入管（２０、２２０、３２０、４２０、５２０）を装着する例について説明したが、二個の中間接続部（１０５、２０５、３０５、４０５、５０５）を使用して、上部Ｕ側の中間接続部（１０５、２０５、３０５、４０５、５０５）に、血液流入管（１１０、２１０、３１０、４１０、５１０）を装着し、下部Ｄ側の中間接続部（１０５、２０５、３０５、４０５、５０５）に、透析液流入管（２０、２２０、３２０、４２０、５２０）を装着し、第４実施例〜第８実施例と同様に配置することができる。
上部Ｕ側と下部Ｕ側の中間接続部（１０５、２０５、３０５、４０５、５０５）との間は、接続管を介して接続してもよいし、直接接続してもよい。
【００７０】
（材料）
ドリップチャンバ１、１´、１´´、１０１、２０１、３０１、４０１、５０１の材料は、ポリプロピレン、ポリカーボネート等、射出成形等により一体成形できる材料であれば何でも使用できる。
【符号の説明】
【００７１】
１、１´、１´´、１０１、２０１、３０１、４０１、５０１  ドリップチャンバ
２    上部接続部
２Ｐ  圧力モニタ管
２Ｌ  補液管
２Ｗ  排液管
２Ｒ  液面調整管
３    下部接続部
３Ｔ  テーパ
５、５´、５´´、１０５、２０５、３０５、４０５、５０５  中間接続部
５´Ｔ  突起部
５Ｄ  段部
５Ｍ  溝部
５ＴＰテーパ部
７    第一接続管
７´  接続管
８    第二接続管
１０、１１０、２１０、３１０、４１０、５１０    血液流入管
１０Ｉ、１１０Ｉ、２１０Ｉ、３１０Ｉ、４１０Ｉ、５１０Ｉ  血液流入口
１０Ｏ、１１０Ｏ、２１０〇、３１０Ｏ、４１０Ｏ、５１０Ｏ  開口部
１１    血液流出管
１１Ｏ  血液流出口
２０、２２０、３２０、４２０、５２０  透析液流入管
２０Ｉ、２２０Ｉ、３２０Ｉ、４２０Ｉ、５２０Ｉ  透析液流入口
２０Ｏ、２２０〇、３２０Ｏ、４２０Ｏ、５２０Ｏ  開口部
ＢＩＰ  血液流入点
ＤＩＰ  透析液流入点
ＨＰ    最上点
ＬＰ    最下点
θ      血液流入角度
θ２    テーパ部５ＴＰの角度
θ３    透析液流入角度
Ｓ１    第１側部
Ｓ２    第２側部
Ｓ３    第３側部
Ｓ４    第４側部
Ｕ      上部
Ｄ      下部
Ｂｂ    血液
Ａｂ    気泡
ｄＬ    透析液
【図１】
2015085181.tif 000003
【図２】
2015085181.tif 000004
【図３】
2015085181.tif 000005
【図４】
2015085181.tif 000006
【図５】
2015085181.tif 000007
【図６】
2015085181.tif 000008
【図７】
2015085181.tif 000009
【図８】
2015085181.tif 000010
【図９】
2015085181.tif 000011
【図１０】
2015085181.tif 000012
【図１１】
2015085181.tif 000013
【図１２】
2015085181.tif 000014
【図１３】
2015085181.tif 000015
【図１４】
2015085181.tif 000016
【図１５】
2015085181.tif 000017
【図１６】
2015085181.tif 000018
【図１７】
2015085181.tif 000019
【図１８】
2015085181.tif 000020
【図１９】
2015085181.tif 000021
【図２０】
2015085181.tif 000022
【図２１】
2015085181.tif 000023
【図２２】
2015085181.tif 000024
【図２３】
2015085181.tif 000025
【図２４】
2015085181.tif 000026
【図２５】
2015085181.tif 000027
【図２６】
2015085181.tif 000028
【図２７】
2015085181.tif 000029
【図２８】
2015085181.tif 000030